(57)【特許請求の範囲】
【請求項１】
光媒体に具備されているウォブルパターンの欠陥を検出する装置において、
前記ウォブルパターンのウォブル信号が印加されると、位相同期ループによって位相同期されたウォブル信号及びウォブルクロック信号を生じる位相同期ループ回路と、
前記位相同期されたウォブル信号及び前記ウォブルクロック信号が印加されると、所定のウィンドウ幅条件によるウォブルウィンドウ区間を示すウォブルウィンドウ信号を生じるウォブルウィンドウ信号発生部と、
前記ウォブルウィンドウ信号及び前記ウォブル信号が印加されると、所定のウォブルロック及びアンロック条件によりウォブルロック及びアンロック状態のうちいずれか一方を検出した信号を出力するウォブルロック及びアンロック検出部と、
前記ウォブルロック及びアンロック状態のうちいずれか一方を検出した信号、前記ウォブルウィンドウ信号及び前記ウォブル信号が印加されると、所定の欠陥判定条件により前記ウォブルパターンに欠陥が存在するかどうかを検出するウォブル欠陥検出部とを含み、
前記所定の欠陥判定条件は、ブロック単位又はセクター単位におけるウォブルウィンドウ区間において、ウォブル信号が所定数検出されない場合に欠陥と判定し、
更に、前記ウィンドウ幅条件は、前記ウォブルクロック信号の個数に基づいて、設定され、
前記ウォブルロック条件は、前記ウォブルウィンドウ区間に前記ウォブル信号が存在することが連続的に検出される回数に基づいて設定され、
前記ウォブルアンロック条件は、前記ウォブルウィンドウ区間に前記ウォブル信号が存在しないことが連続的に検出される回数に基づいて設定されることを特徴とするウォブル欠陥検出装置。
【請求項２】
前記所定の欠陥判定条件は、前記ウォブルロックの状態で前記ウォブルウィンドウ区間に前記ウォブル信号が連続的に検出されない回数に基づいて設定されることを特徴とする請求項１に記載のウォブル欠陥検出装置。
【請求項３】
前記ウォブル欠陥検出部は、ブロックまたはセクター単位に前記欠陥が存在するかどうかを検出することを特徴とする請求項１に記載のウォブル欠陥検出装置。
【請求項４】
前記ウォブルロック／アンロック検出部は、前記ウォブルウィンドウ区間に前記ウォブル信号が存在すると前記ウォブルウィンドウ信号の数をカウントし、前記ウォブル信号が存在しなければリセット又はクリアされる第１カウンターと、前記第１カウンターでカウントされた結果と前記ウォブルロック条件とを比較し、前記第１カウンターでカウントされた結果が前記ウォブルロック条件を満足すれば、ウォブルロック状態を要求する第１比較器と、前記ウォブルウィンドウ区間に前記ウォブル信号が存在しなければ前記ウォブルウィンドウ信号の数をカウントし、前記ウォブル信号が存在するとリセット又はクリアされる第２カウンターと、前記第２カウンターでカウントされた結果と前記ウォブルアンロック条件とを比較し、前記第２カウンターでカウントされた結果が前記ウォブルアンロック条件を満足すれば、ウォブルアンロック状態を要求する第２比較器と、前記第１比較器及び前記第２比較器の出力によりウォブルロック／アンロック状態を検出した信号を出力するウォブルロック／アンロック信号生成器とを含むウォブル欠陥検出装置。
【請求項５】
前記ウォブル欠陥検出部は、ウォブルロックの状態で前記ウォブルウィンドウ区間に前記ウォブル信号が存在しなければ、前記ウォブルウィンドウ信号の数をカウントする第３カウンターと、前記第３カウンターでカウントされた値が前記所定の欠陥判定条件を満足するかどうかを比較し、前記条件を満足すれば、欠陥が検出されたことを示す信号を出力する第３比較器とを含む請求項１に記載のウォブル欠陥検出装置。
【請求項６】
光媒体に具備されているウォブルパターンの欠陥を検出する方法において、
前記ウォブルパターンによるウォブル信号を位相同期ループによって位相同期されたウォブル信号及びウォブルクロック信号を生じる段階と、
前記位相同期されたウォブル信号及びウォブルクロック信号を用い、所定のウィンドウ幅を有するウォブルウィンドウ信号を生じる段階と、
前記ウォブルウィンドウ信号によるウォブルウィンドウ区間に前記ウォブル信号の存在が所定のウォブルロックまたはウォブルアンロック条件を満足するかどうかによりウォブルロックまたはアンロック状態を検出する段階と、
前記ウォブルロック状態で前記ウォブルウィンドウ区間に前記ウォブル信号の存在が所定の欠陥判定条件を満足する場合に欠陥検出信号を生じる段階とを含み、
更に、前記ウィンドウ幅条件は、前記ウォブルクロック信号の個数に基づいて、設定され、
前記ウォブルロック条件は、前記ウォブルウィンドウ区間に前記ウォブル信号が存在することが連続的に検出される回数に基づいて設定され、
前記ウォブルアンロック条件は、前記ウォブルウィンドウ区間に前記ウォブル信号が存在しないことが連続的に検出される回数に基づいて設定されることを特徴とするウォブル欠陥検出方法。
【発明の詳細な説明】
【０００１】
【発明の属する技術分野】
本発明は光記録媒体に係り、特に、ウォブルパターンを有している光記録媒体から検出されるウォブル信号を用いてウォブルの欠陥を検出するためのウォブル欠陥検出装置及び方法に関する。
【０００２】
【従来の技術】
現在、光記録媒体としては、ＤＶＤ-ＲＡＭ、ＤＶＤ-Ｒ（Ｒｅｃｏｒｄａｂｌｅ）、ＤＶＤ−ＲＷ（ＲｅＷｒｉｔａｂｌｅ）、ＤＶＤ＋ＲＷがある。ウォブルパターンは、光記録媒体に具備されているランド及びグルーブの境界領域に存在する。このため、ウォブルパターンに多くの誤りが生じれば、ランド及びグルーブに形成されているデータ領域にも誤りが生じる可能性が高い。
【０００３】
また、ウォブルパターンによるウォブル信号は光記録媒体に位置情報を記録するために用いられるか、記録または再生位置を検出するための基準クロックとして用いられるか、或いは記録クロックを生じるための基準信号として用いられる。このため、光記録媒体に存在するウォブルパターンによるウォブル信号は光記録媒体を用いる上で極めて重要である。
【０００４】
【発明が解決しようとする課題】
そこで、本発明は、光記録媒体上へのデータの記録中にウォブルパターンに欠陥が存在する場合、該当する欠陥領域が検証可能に、光記録媒体から検出されるウォブル信号を用いてウォブルパターンの欠陥を検出するためのウォブル欠陥検出装置及び方法を提供するところにその目的がある。
【０００５】
【課題を解決するための手段】
前記目的を達成するために、本発明による装置は、光媒体に具備されているウォブルパターンの欠陥を検出する装置において、前記ウォブルパターンのウォブル信号が印加されると、位相同期ループされたウォブル信号及びウォブルクロック信号を生じる位相同期ループ回路と、前記位相同期ループされたウォブル信号及び前記ウォブルクロック信号が印加されると、所定のウィンドウ幅条件によるウォブルウィンドウ区間を示す信号を生じるウィンドウ信号発生部と、前記ウォブルウィンドウ信号及び前記ウォブル信号が印加されると、所定のウォブルロック及びアンロック条件によりウォブルロック及びアンロック状態のうちいずれか一方を検出した信号を出力するウォブルロック及びアンロック検出部と、前記ウォブルロック及びアンロック状態のうちいずれか一方を検出した信号、前記ウォブルウィンドウ信号及び前記ウォブル信号が印加されると、所定の欠陥判定条件により前記ウォブルパターンに欠陥が存在するかどうかを検出するウォブル欠陥検出部とを含む。
【０００６】
望ましくは、前記ウィンドウ幅条件は、前記ウォブルクロック信号の個数を考慮して設定され、前記ウォブルロック条件は、前記ウォブルウィンドウ区間に前記ウォブル信号が存在することが連続的に検出される回数を考慮して設定され、前記ウォブルアンロック条件は、前記ウォブルウィンドウ区間に前記ウォブル信号が存在しないことが連続的に検出される回数を考慮して設定される。
【０００７】
望ましくは、前記ウォブル欠陥検出部は、ブロックまたはセクター単位に前記欠陥が存在するかどうかを検出する。
【０００８】
前記目的を達成するために、本発明による方法は、光媒体に具備されているウォブルパターンの欠陥を検出する方法において、前記ウォブルパターンによるウォブル信号を位相同期ループして位相同期されたウォブル信号及びウォブルクロック信号を生じる段階と、前記位相同期されたウォブル信号及びウォブルクロック信号を用い、所定のウィンドウ幅を有するウォブルウィンドウ信号を生じる段階と、前記ウォブルウィンドウ信号によるウォブルウィンドウ区間に前記ウォブル信号の存在が所定のウォブルロックまたはアンロック条件を満足するかどうかによりウォブルロックまたはアンロック状態を検出する段階と、前記ウォブルロック状態で前記ウォブルウィンドウ区間に前記ウォブル信号の存在が所定の欠陥判定条件を満足する場合に欠陥検出信号を生じる段階とを含む。
【０００９】
【発明の実施の形態】
以下、添付した図面に基づき、本発明による実施例を詳細に説明する。図１は、本発明によるウォブル欠陥検出装置の機能ブロック図であって、位相同期ループ回路１０１（ＰＬＬ）、ウォブルウィンドウ信号発生部１０３、ウォブルロック／アンロック検出部１０５、ウォブル欠陥検出部１０７で構成される。
高周波増幅器（ＲＦ-ＡＭＰ）（図示せず）を介して光記録媒体（図示せず）からウォブル信号が印加されると、位相同期ループ回路１０１は、印加されるウォブル信号で再生クロックまたはチャンネルクロックに対応するウォブルクロック信号Ｗｂｃｌｋ及びＰＬＬ（フェーズロックドループ）されたウォブル信号ＰＬＬｅｄ ＷＢ、ＰＷＢを各々出力する。位相同期ループ回路１０１は、図２に示されたように、位相比較器２０１、ローパスフィルター（ＬＰＦ）２０２、電圧制御発振器（ＶＣＯ）２０３及び分周器２０４で構成される。
【００１０】
すなわち、図３（ａ）に示された周期を有するウォブル信号が印加されると、位相比較器２０１は、印加されるウォブル信号及びウォブルクロック信号Ｗｂｃｌｋを１８６分周した信号であるＰＬＬされたウォブル信号ＰＷＢの位相を比較した結果を出力する。ローパスフィルター２０２は、位相比較器２０１から出力される信号で高周波成分をフィルターリングして電圧制御発振器２０３に伝送する。電圧制御発振器２０３は、ウォブル信号とＰＬＬされたウォブル信号との位相差に該当する周波数を出力する。ウォブルクロック信号Ｗｂｃｌｋは、ウォブルウィンドウ信号発生部１０３及び分周器２０４に各々伝送される。分周器２０４は、ウォブルクロック信号Ｗｂｃｌｋを１８６分周して得られたＰＬＬされたウォブル信号ＰＷＢを位相比較器２０１及びウォブルウィンドウ信号発生部１０３に各々出力する。このとき、出力されるＰＬＬされたウォブル信号は、印加されるウォブル信号に対し、図３（ｂ）に示されたような周期を有する。
【００１１】
ウォブルウィンドウ信号発生部１０３は、印加されるＰＬＬされたウォブル信号に基づくウィンドウ幅条件を有するウィンドウ信号を生じる。すなわち、ウィンドウ幅条件は、ウォブルクロック信号Ｗｂｃｌｋの個数である。例えば、ウィンドウ幅条件が１０として設定されており、図３（ｃ）に示されたように、ＰＷＢの立ち上がりエッジに基づく場合、ＰＷＢの立ち上がりエッジから１０個のウォブルクロック信号が生じる期間が、ウォブルウィンドウ信号のアクティブ（図３（ｃ）では“ハイ”の状態）状態である。前記期間はウォブルウィンドウ信号の幅となる。このとき、ウィンドウ幅条件は、図示されていないシステム制御部（またはマイコン）から与えられるものであって、ウォブル信号のジッタなどの雑音は収容できる程度に設定する。
【００１２】
ウォブルウィンドウ信号及びウォブル信号が印加されると、ウォブルロック／アンロック検出部１０５は、設定されているウォブルロック条件及びウォブルアンロック条件によりウォブル信号に対してロック状態として設定するか、或いはアンロック状態として設定するかを検出する。すなわち、ウォブルウィンドウ信号が“ハイ”であるときウォブル信号が存在すると連続的に検出され、検出回数が設定されたウォブルロック条件を満足する場合、図３（ｄ）に示されたように、ウォブルロック状態を設定する信号が生じる。しかし、ウォブルウィンドウ信号が“ハイ”であれば、ウォブル信号が存在しないと連続的に検出され、検出回数が設定されたウォブルアンロック条件を満足する場合、図３（ｄ）に示されたように、ウォブルアンロック状態を設定する信号が生じる。
【００１３】
図４は、ウォブルロック／アンロック検出部１０５の一例を示したものであり、第１カウンター４０１、第２カウンター４０２、第１比較器４０３、第２比較器４０４及びウォブルロック／アンロック信号発生部４０５で構成される。
【００１４】
ウォブルウィンドウ信号が“ハイ”であるとき、第１カウンター４０１はウォブルウィンドウ信号をアップまたはダウンカウントする。しかし、ウォブルウィンドウ信号が“ハイ”であるとき、印加されるウォブル信号が存在しなければ、第１カウンター４０１はリセットまたはクリアされる。第１カウンター４０１のカウント値は第１比較器４０３に与えられる。第１比較器４０３は、第１カウンター４０１から与えられるカウント値及び設定されたウォブルロック条件を比較する。ウォブルロック条件は、示していないシステム制御部から与えられるものであって、連続的にウォブル信号が検出される個数となる。例えば、ウォブルロック条件が'３'として設定されており、第１カウンター４０１がアップカウンターであるとき、第１カウンター４０１から与えられた値が３であれば、ウォブルロック／アンロック信号発生部４０５にウォブルロック状態を示す信号が生じるように要求する信号を出力する。
【００１５】
第２カウンター４０２は、ウォブルウィンドウ信号が“ハイ”であるときウォブル信号が存在しなければ、ウォブル信号をアップまたはダウンカウントする。しかし、ウォブルウィンドウ信号が“ハイ”であるとき、ウォブル信号が存在すれば、第２カウンター４０２はリセットまたはクリアされる。カウント値は第２比較器４０４に与えられる。第２比較器４０４は、第２カウンター４０２から与えられるカウント値と設定されたウォブルアンロック条件とを比較する。ウォブルアンロック条件は、図示されていないシステム制御部から与えられるものであって、連続的にウォブル信号が検出されない個数である。例えば、ウォブルアンロック条件が'４'として設定されており、第２カウンター４０２がアップカウンターであるとき、第２カウンター４０２から与えられた値が'４'であれば、第２比較器４０４はウォブルロック／アンロック信号発生部４０５にウォブルアンロック状態を示す信号が生じるように要求する信号を出力する。前述したウォブルロック条件及びウォブルアンロック条件は、同一の値として設定されうる。
【００１６】
ウォブルロック／アンロック信号発生部４０５は、第１比較器４０３及び第２比較器４０４から与えられる比較結果により、図３（ｄ）に示された信号を生じる。
【００１７】
ウォブルウィンドウ信号、ウォブルロック／アンロック信号及びウォブル信号が印加され、ブロック単位またはセクター単位にウォブルウィンドウ区間でウォブル信号が検出されない個数が欠陥判定条件を満足すれば、ウォブル欠陥検出部１０７はウォブル欠陥として認識してウォブル欠陥検出信号を図３（ｅ）のように出力する。欠陥判定条件は、ウォブル信号が検出されない個数である。例えば、欠陥判定条件が'５'として設定されていれば、ブロック単位またはセクター単位にウォブルウィンドウ区間でウォブル信号が検出されない個数が５となれば、該当するブロックまたはセクターでウォブル欠陥が生じたことを知らせるための欠陥検出信号が出力される。欠陥判定条件は、示していないシステム制御部から与えられる。ブロック区分信号及びセクター区分信号は、光記録媒体ドライブまたは駆動器内に組み込まれているデコーダ（図示せず）やエンコーダ（図示せず）から生じる制御信号（例えば、エンコーダ／デコーダブロックシンク、セクターシンク信号）による。しかし、セクターを区分できない光記録媒体の場合には、ブロック区分信号はデコーダから与えられるが、セクター区分信号はエンコーダから生じる制御信号（例えば、セクターシンク信号）による。
【００１８】
図５は、図１に示されたウォブル欠陥検出部の一例を示したものであって、第３カウンター５０１及び第３比較器５０２で構成される。第３カウンター５０１はブロック区分信号及びセクター区分信号によりリセットまたはクリアされ、ウォブルロック／アンロック信号により実質的にウォブルウィンドウ信号をカウントできる区間が設定される。ウォブルロックの状態でウォブルウィンドウ区間にウォブル信号が存在しなければ、第３カウンター５０１はウォブルウィンドウ信号をアップまたはダウンカウントする。カウントされた結果は第３比較器５０２に与えられる。第３比較器５０２は第３カウンター５０１がアップカウントであり、欠陥判定条件が'５'として設定されている場合に、第３カウンター５０１から与えられるカウント値が'５'であれば、欠陥検出信号を出力する。
【００１９】
欠陥検出信号は、図示されていないシステム制御部から与えられる。システム制御部（図示せず）は、欠陥検出信号が印加されれば、該当するブロックまたはセクターのウォブルパターンに欠陥が生じたと認識し、該当するブロックまたはセクターに記録されたデータに対して検証作業を行う。検証結果が満足いくほどでない場合には、該当ブロックやセクターに再記録するか、或いは他の領域に該当ブロックまたはセクターのデータを再記録できる。
【００２０】
本発明は各信号の論理状態を前述した実施例に限定せず、異なって設定した環境でも適用できる。例えば、前述した実施例はウォブルウィンドウ信号のアクティブ状態を"ハイ"レベルとしているが、"ロー"レベルをアクティブ状態としても具現できる。
【００２１】
【発明の効果】
以上述べたように、本発明によれば、ウォブルパターンを有している光記録媒体で記録中にセクターやブロック内のウォブルパターンに欠陥が存在する場合、欠陥が発見されたセクターやブロックのデータに対する誤り検証により、欠陥領域へのデータの記録によるデータの損失を最小化できる。
【００２２】
本発明は前述した実施例に限定されることなく、本発明の思想内であれば、当業者による変形が可能であるということは言うまでもない。よって、本発明において、権利を請求する範囲は詳細な説明の範囲内に定まるのではなく、上述する請求範囲に限定される。
【図面の簡単な説明】
【図１】本発明によるウォブル欠陥検出装置の機能ブロック図である。
【図２】図１に示された位相同期ループ回路に対する詳細ブロック図である。
【図３】図１に示された装置の動作タイミング図である。
【図４】図１に示されたウォブルロック／アンロック検出部の一例を示したものである。
【図５】図１に示されたウォブル欠陥検出部の一例を示したものである。
【符号の説明】
１０１  位相同期ループ回路（ＰＬＬ）
１０３  ウォブルウィンドウ信号発生部
１０５  ウォブルロック／アンロック検出部
１０７  ウォブル欠陥検出部
２０１  位相比較器
２０２  ローパスフィルター（ＬＰＦ）
２０３  電圧制御発振器（ＶＣＯ）
２０４  分周器
４０１  第１カウンター
４０２  第２カウンター
４０３  第１比較器
４０４  第２比較器
４０５  ウォブルロック／アンロック信号発生部
５０１  第３カウンター
５０２  第３比較器
【図１】
0004017847.tif 000002
【図２】
0004017847.tif 000003
【図３】
0004017847.tif 000004
【図４】
0004017847.tif 000005
【図５】
0004017847.tif 000006